(57)【要約】【課題】子供服用可変長ハンガー【解決手段】子供用ハンガーは、第１本体と、第１本体から上向きに延びるフックと、第１本体から衣服を吊り下げる第１手段と、本体から下向きに延び、従属ハンガーを解放可能にそこから吊り下げるように動作可能である第１連結タブとを備える、主ハンガーを有する。各端にロック端部を有する連結リンクであって、ロック端部が少なくとも１つの水平表面を備えた少なくとも１つのスナップロックを有する連結リンクが、主ハンガーの少なくとも連結タブに解放可能に取り付け可能である。従属ハンガーは、本体と、衣服を第２本体から吊り下げる第２手段と、第２本体から上向きに延びる第２連結タブとを有する。第２連結タブは、連結リンクのロック端部を内部に解放可能に固定するように動作可能である。【選択図】      図１
2007222632.tif 000002
【特許請求の範囲】
【請求項１】
子供服用ハンガーであって、
第１本体と、前記第１本体から上向きに延びるフックと、前記第１本体から衣服を吊り下げる第１手段と、前記第１本体から下向きに延び、従属ハンガーを解放可能にそこから吊り下げるように動作可能である第１連結タブとを有する、主ハンガーと、
各端にロック端部を有して、前記第１連結タブに解放可能に取り付け可能である、連結リンクと、
第２本体と、衣服を前記第２本体から吊り下げる第２手段と、前記第２本体から上向きに延びる第２連結タブとを有する従属ハンガーであって、前記第２連結タブは、前記連結リンクの前記ロック端部をそこに解放可能に固定するように動作可能である、従属ハンガーと、
を備える、子供服用ハンガー。
【請求項２】
前記第１及び第２連結タブと、前記各ロック端部とは、２つの相補的な雄型又は雌型対合部の少なくとも一方を備える、請求項１に記載の子供服用ハンガー。
【請求項３】
前記雄型対合部は、スナップロックから反対側の前記ロック端部の表面に少なくとも１つの水平表面及び凹部を備えたスナップロックを備える、請求項２に記載の子供服用ハンガー。
【請求項４】
前記雌型対合部は、保持表面から偏位された保持帯と、前記雄型対合部のスナップロックと係合する第２水平表面とを備える、請求項２に記載の子供服用ハンガー。
【発明の詳細な説明】
【技術分野】
【０００１】
本発明は一般に衣服ハンガーの分野に関し、より詳しくは、可変長付着部を備えた、コーディネート済衣服セット用の交換可能な衣服ハンガーシステムに関する。
【背景技術】
【０００２】
衣服の小売販売分野では、複数の衣服をコーディネート済セットとして陳列し、販売し、したがってそれらを単一のハンガーに下げることが望ましい場合が多い。これは、いわゆるガーメント・オン・ハンガー（ＧＯＨ）プログラムを使用して衣服セットが販売される場合に特に当てはまる。ＧＯＨプログラムは最近小売業者に好まれるようになった。ＧＯＨプログラムでは、衣服が製造場所で製造業者によってハンガーから吊り下げられ、小売商人などに発送される。小売場所に到着すると、衣服は、追加作業なく、陳列及び販売用に小売フロアに配置することができる。以前は、小売業者は、自身の費用でまかなわれた労働力によって、衣服をハンガーに吊り下げる作業を遂行していた。
【０００３】
この目的に向けて、衣服のコーディネート済セットを収容し陳列するためのある種の特殊用途ハンガーが開発されている。これらの中には、本発明者及び、本出願の同一出願人による、２００４年９月３０日に公開された米国特許出願公開第２００４／０１８８４７５号で開示されているダブルハンガーがあり、この出願の開示の全ては、あらゆる目的のために参照してここに組み込まれる。他には、本発明者に対して２００４年１１月３０日に発行され、本出願の同一出願人による米国意匠特許第４９８，９３６号で示されている、特に子供及び幼児用衣服のために適合されたいわゆるボーハンガーがあり、この特許の開示の全ては、あらゆる目的のために参照してここに組み込まれる。さらに他のものとして、例えばＯｌｋらに対して２００５年４月５日に発行され、本出願の同一出願人による米国特許第６，８７５，９３２号で開示されているような、第１ハンガーの本体の下に設けられたループから第２ハンガーを支持する措置を有する、コーディネート用ループハンガーがあり、この特許の開示の全ては、あらゆる目的のために参照してここに組み込まれる。最後に、コーディネート用グリッパー又は類似形式のハンガーは、フックの代わりにループを有し、このループが他のハンガーのフックの基部から従属するように適合されている。コーディネート用グリッパーハンガーは、例えば本発明者に対して２００５年２月２２日に発行され、本出願の同一出願人による米国意匠特許第５０２，０１１号で示され、この特許の開示の全ては、あらゆる目的のために参照してここに組み込まれる。
【特許文献１】米国特許出願公開第２００４／０１８８４７５号
【特許文献２】米国意匠特許第４９８，９３６号
【特許文献３】米国特許第６，８７５，９３２号
【特許文献４】米国意匠特許第５０２，０１１号
【特許文献５】米国特許仮出願第６０／７７５，３１０号
【発明の開示】
【発明が解決しようとする課題】
【０００４】
【課題を解決するための手段】
【０００５】
本発明によって、コーディネートセット用ハンガーであって、第１本体と、第１本体から上向きに延びるフックと、第１本体から衣服を吊り下げる第１手段と、本体から下向きに延び、従属ハンガーを解放可能にそこから吊り下げるように動作可能である第１連結タブとを備える主ハンガーを有する、コーディネートセット用ハンガーが提供される。各端にロック端部を有する連結リンクであって、ロック端部が少なくとも１つの水平表面を備えた少なくとも１つのスナップロックを有する連結リンクが、主ハンガーの少なくとも連結タブに解放可能に取り付け可能である。従属ハンガーは、本体と、衣服を第２本体から吊り下げる第２手段と、第２本体から上向きに延びる第２連結タブとを有する。第２連結タブは、連結リンクのロック端部を内部に解放可能に固定するように動作可能である。これに関して、２００６年２月２１日に出願された同時係属中の米国特許仮出願第６０／７７５，３１０号を参照することができ、その内容の全てが本明細書に組み込まれる。
【０００６】
本出願のこれら及び他の特徴、利得、及び利点が、以下の詳しい説明及び添付図面を参照すれば明らかとなろう。
【発明を実施するための最良の形態】
【０００７】
次に図１及び２を参照すると、本発明による、子供服セット用可変長ハンガー１０の正面分解組立図を示している。子供服セット用ハンガー１０は、主ハンガー２０、従属ハンガー２２、及び連結リンク２４を備える。主ハンガー２０は、中央の本体部分２８から上向きに延びるフック２６と、本体から概して同一平面内反対方向に外向きに延びる側方アーム２８、３０とを含む。主ハンガー２０は、連結リンク２４の第１ロック端部３４を受容し係合保持する連結タブ３２も含む。
【０００８】
この実施例の主ハンガー２０は、シャツ、ブラウス、セーター、コート、ジャケットなどの特に子供服の上半身衣服用ハンガーであるが、実際にはほぼ任意のハンガー形式に設計することができる。この場合、アームは衣服を主ハンガー２０から吊り下げる構造物を備え、アーム２８、３０の上方表面に形成された衣服係合凹部３６を有することができる。しかし、代替的実施形態（図示せず）では、衣服をハンガーから吊り下げるこのような構造物は、従属ハンガー２２の複数フィンガのグリッパー、他の弾性の衣服用クリップ形式の中では特に、当技術分野で知られているような多数の形態のうちの任意の、ズボン用バー、又はピンチグリップを備えることができる。
【０００９】
従属ハンガー２２は、この例示的実施形態では、ズボン吊下ハンガーであるが、実際にはほぼ任意のハンガー形式であることができる。従属ハンガー２２は、本体部分４２から中央に上向きに延びる連結タブ４０を有し、それによって連結タブ４０は逆になっているが、それ以外は主ハンガー２０の連結タブ３２と同一であり、連結リンク２４の反対端のさらなるロック連結端部４４を受容し、係止するようにこれと係合する。
【００１０】
ここに示すように、連結リンク２４は、この各端にそれぞれロック連結端部４４と、このロック連結端部と接合する軸４６とを有する。軸４６は、任意の適切な長さであることができる。好ましい実施形態では、適用例の必要に応じて交換できるように適合された多数の長さで、多様な連結リンク２４を設けることができる。
【００１１】
ここに述べるように、連結タブ３２、４０と、ロック端部３４、４０と、ロック端部３４、４４とは、相互ロックシステムの相補的対合部、一般にそれぞれ雌型と雄型として構成される。しかし、本発明の範囲から逸脱せずに、構成要素を逆にすることができ、即ち連結タブ３２、４０のいずれか又は両方を雄型構成要素として構成し、ロック端部３４、４４のいずれか又は両方を雌型構成要素として構成することができる。さらに、連結タブ３２、４０及び／又はロック端部３４、４４は、雌型端部と雄型端部のいずれか又は両方として汎用的に適合できるように構成することができて、有用性をさらに増す。さらに、対合部は、連結タブをロック端部と相互ロックさせるのを可能にする任意の細部又は構成であることができる。
【００１２】
次に図３を参照すると、図１の線３−３による断面図を示している。連結タブ３２は、相互から垂直方向に分離した概して同一平面の２つの保持表面５０と、保持表面５０の平面からの偏位保持帯５２とを有する。保持帯５２は、例示的実施形態のように、少なくとも１つの、好ましくは保持帯５２の各端部に１つずつ、２つの拡張部５４によって、連結タブ３２に接合される。
【００１３】
連結リンク２４の関連するロック端部３４は、一方側から延びるスナップロック５６を有する。スナップロック５６は下面に水平表面５８を有する。連結リンク２４をハンガー２０の連結タブ３２に係合させるために、ロック端部２４は、保持表面５０と偏位保持帯５２の間の連結タブ３２内に挿入される。ロック端部３４の挿入時に、スナップロック５６と保持表面５０のいずれか又は両方が、相互に通過できるように偏向する。この偏向は、スナップロック５６の傾斜付表面６０と、スナップロック５６の反対側のロック端部３４に形成された材料空洞又は空間６２とによって助けられ、任意にそのいずれか又は両方が、ロック端部３４に存在してよい。
【００１４】
スナップロック５６が最も下の保持表面５０の上に来た後は、スナップロック５６の水平表面５８が、連結タブ３２の相補的水平表面６６と係合する。表面５８と６６の相互ロックは概して、相当程度の力を加えずに、あるいはこの目的専用の道具を使用して、移動に対して抵抗し、したがって、例えば自主産業間商取引基準協会（Ｖｏｌｕｎｔａｒｙ  Ｉｎｔｅｒ−ｉｎｄｕｓｔｒｙ  Ｃｏｍｍｅｒｃｅ  Ｓｔａｎｄａｒｄｓ  Ａｓｓｏｃｉａｔｉｏｎ（ＶＩＣＳ））又はベリタス消費製品サービス事務局（Ｂｕｒｅａｕ  Ｖｅｒｉｔａｓ  Ｃｏｎｓｕｍｅｒ  Ｐｒｏｄｕｃｔ  Ｓｅｒｖｉｃｅｓ，Ｉｎｃ．）などによって公布されているものなどの工業規格による、チャイルドプルーフであると考えられる。
【００１５】
図示する実施形態では、連結タブ３２は連結タブ４０の逆さまであるが、その他は形態及び機能が同一である。連結リンク２４は両端にロック端部３４、４４を有するので、いずれの垂直又は逆配向でも機能することができる。任意には、ロック端部３４、４４には前側と後側の両方にスナップロックを設けることができ、これによってロック端部３４が、直立した、逆さまの、前向き又は後ろ向きの、いずれの配向の連結タブ３２とも係合することができるようになる。さらに、従属ハンガー２２は、追加の連結リンク及び／又は従属ハンガーを取り付けるための、本体の下から従属するさらなる連結タブ（図示せず）を含むことができる。ロック端部の対合部と連結リンクは、相互ロックを可能にする任意の細部又は構成であることができる。さらに、連結リンクとロック端部とを反対にし、逆さまにし、二重にすることができ、あるいはこの特徴部の全ての代替物といずれの端部でも相互ロックするのを可能にする任意の構成であることができる。
【００１６】
この産業で典型的である通り、本明細書で開示する衣服ハンガー又はこの任意の部分の全体又は一部は、射出成形プラスチック、より一般的には、とりわけポリスチレン、ＳＡＮ、ＡＢＳ、ＰＰＯ、ナイロン、ポリプロピレン（ＰＰ）、ポリエチレン、ＰＥＴ、ポリカーボネート（ＰＣ）、アクリル類、Ｋ樹脂、及びポリ塩化ビニル（ＰＶＣ）などの剛質プラスチックから形成することができる。
【００１７】
本発明を特定の例示的な好ましい実施形態を参照して以上に述べた。これらの実施形態は、本発明の範囲を単に例示するものとして、限定するものとしてではなくここに提示している。本開示に照らせば、添付の特許請求の範囲を参照することによってのみ規定される本発明の精神又は範囲から逸脱せずに、ある種の代替形態及び／又は修正形態が当業者に明らかであろう。
【図面の簡単な説明】
【００１８】
【図１】本発明によるコーディネート子供服用可変長ハンガーセットの正面分解組立図である。
【図２】図１の組み立てられた状態の構成要素の正面図である。
【図３】図１の線３−３による拡大断面図である。
【符号の説明】
【００１９】
１０  子供服セット用ハンガー
２０  主ハンガー
２２  従属ハンガー
２４  連結リンク
２６  フック
２８、３０  側方アーム
３２、４０  連結タブ
３４、４４  ロック端部
３６  衣服係合凹部
４２  本体部分
４６  軸
５０  保持表面
５２  保持帯
５４  拡張部
５６  スナップロック
５８、６６  水平表面
６０  傾斜付表面
６２  材料空洞又は空間
【図１】
2007222632.tif 000003
【図２】
2007222632.tif 000004
【図３】
2007222632.tif 000005
【外国語明細書】
2007222632000001.pdf